(57)【特許請求の範囲】
【請求項１】
扁平な製品、特に郵便物（６）の搬送装置であって、搬送装置（１）の駆動される牽引手段（２）に固定され、搬送装置（１）の上方に配設されているリニアコンベア（７）を有する供給体（４）に面した入口開口（５）を有する輸送容器（３）に、郵便物（６）が１つの供給体（４）によって供給されるものにおいて、
郵便物（６）は、リニアコンベア（７）によって輸送容器（３）の方向に移動され、搬送装置（１）の上方には, 搬送装置（１）の搬送方向（Ｆ）と同方向かつ輸送容器（３）の入口開口（５）に対して略平行に延びかつ無端で循環する牽引機構（１３）に固定され、複数の案内機構（１５）から形成された郵便物（６）の飛行軌道を通り抜けるように案内装置（１２）が設けられており、
案内機構（１５）が郵便物（６）の流動方向下端に向かって漏斗状に狭まるように形成されており、
案内機構（１５）が後続する輸送容器（３）の規則的な間隔に従って牽引機構（１３）に固定されかつ輸送容器（３）と同期して駆動され、
輸送容器（３）が搬送装置（１）の搬送方向（Ｆ）とは反対方向に傾いた状態を有し、
案内機構（１５）が郵便物（６）の流動方向下流に位置する端にシュートとして形成されたガイド面（１８）を備え、
牽引機構（１３）が側方に相互間隔を隔てた複数の搬送チェーン（１４）により形成されており、
搬送チェーン（１４）の間に配設されている案内機構（１５）が、側壁（２４）によってチェーンリンク（２３）のピンと結合しており、
輸送容器（３）が全ての側面を閉鎖されて形成されておりかつ入口開口（５）にフラップ状の蓋（１７）を有し、
シュートのガイド面（１８）が、供給の間、搬送方向（Ｆ）の後方で輸送容器（３）の内壁（１９）に殆ど接しており、
前記フラップ状の蓋（１７）が、ばねと制御カムによって開閉可能にされていることを特徴とする前記搬送装置。
【発明の詳細な説明】
【０００１】
【発明の属する技術分野】
本発明は、それぞれ供給体によって、搬送装置の駆動される牽引手段に固定され、その上に配設されている供給体に面した入口開口を有する輸送容器に供給される、開封封筒、小包、印刷物又は工作物のような偏平な製品の搬送のための装置に関する。
【０００２】
このような装置は収集個所に供給される製品が離れた個所に分配される郵便局又は商品倉庫で使用される区分コンベヤとしても使用される。その際これらの偏平な製品は次にその相異なる内容物に基づいて、機械的処理に対して困難な条件を課する不均一な外形及び剛性を有する。
冒頭に記載した種類の装置は例えば、郵便局においてその発送宛先による開封封筒の分類のために使用される。このために開封封筒は発送宛先の把握に従って供給体に供給され、供給体は所定の交付個所で制御されて、付設されている輸送容器に開封封筒を移す。
【０００３】
【従来の技術】
ヨーロッパ特許明細書第０６３８５０１号は個々に供給される偏平な製品の継送のための同種の装置を開示し、その際輸送容器は供給体によって搬送される製品のための上方に開いた入口開口を有する。
実際は輸送容器の側方開口と輸送容器の上方の案内のない中間室とによっては許容される供給が保証不可能で、搬送される製品の相異なる特性及び比較的高い搬送速度がそのような装置の許容性にマイナスに作用することが示された。
【０００４】
【発明が解決しようとする課題】
本発明の課題は、製品が供給路上で輸送容器に位置正しく達するような冒頭に記載した種類の装置を創造することである。
【０００５】
【課題を解決するための手段】
本発明によれば、本発明の課題は、「扁平な製品、特に郵便物（６）の搬送装置であって、搬送装置（１）の駆動される牽引手段（２）に固定され、搬送装置（１）の上方に配設されているリニアコンベア（７）を有する供給体（４）に面した入口開口（５）を有する輸送容器（３）に、郵便物（６）が１つの供給体（４）によって供給されるものにおいて、
郵便物（６）は、リニアコンベア（７）によって輸送容器（３）の方向に移動され、搬送装置（１）の上方には, 搬送装置（１）の搬送方向（Ｆ）と同方向かつ輸送容器（３）の入口開口（５）に対して略平行に延びかつ無端で循環する牽引機構（１３）に固定され、複数の案内機構（１５）から形成された郵便物（６）の飛行軌道を通り抜けるように案内装置（１２）が設けられており、
案内機構（１５）が郵便物（６）の流動方向下端に向かって漏斗状に狭まるように形成されており、
案内機構（１５）が後続する輸送容器（３）の規則的な間隔に従って牽引機構（１３）に固定されかつ輸送容器（３）と同期して駆動され、
輸送容器（３）が搬送装置（１）の搬送方向（Ｆ）とは反対方向に傾いた状態を有し、
案内機構（１５）が郵便物（６）の流動方向下流に位置する端にシュートとして形成されたガイド面（１８）を備え、
牽引機構（１３）が側方に相互間隔を隔てた複数の搬送チェーン（１４）により形成されており、
搬送チェーン（１４）の間に配設されている案内機構（１５）が、側壁（２４）によってチェーンリンク（２３）のピンと結合しており、
輸送容器（３）が全ての側面を閉鎖されて形成されておりかつ入口開口（５）にフラップ状の蓋（１７）を有し、
シュートのガイド面（１８）が、供給の間、搬送方向（Ｆ）の後方で輸送容器（３）の内壁（１９）に殆ど接しており、
前記フラップ状の蓋（１７）が、ばねと制御カムによって開閉可能にされていることを特徴とする前記搬送装置。」によって解決される。
【０００６】
これらの構造的措置によって、高い搬送能率を得ることが可能となる。
案内機構が製品の移動方向において漏斗状に狭まるように形成されており、その結果最初に広い案内によって製品が案内機構に確実に達しかつ続く路程においては狭い飛行軌道にずらされることができることが有利である。
案内機構が後続する輸送容器の規則的間隔に従って機構に固定されておりかつ輸送容器と同期して駆動され、それぞれ案内機構と輸送容器の同期のための特別のタイミング合わせが受け渡し個所に必要とされないことが合理的である。
【０００７】
相異なる間隔は受け渡し個所での案内機構と輸送容器の相異なる速度及び同期を要求する。
搬送装置の搬送方向と反対方向に傾いた輸送容器の状態によって、受け渡し区間が受け渡し個所に適合され又は延長されることができる。
好ましくは、輸送容器が固定されている牽引手段は転向ローラのまわりに無端に巻きつく側方に張り出す搬送チェインによって形成されている。
【０００８】
輸送チェインは特にチェインリンクのピンでのその側壁による案内機構の固定のために好適である。
公知の輸送容器に対する運転安全性の他の改良及び簡単化は、輸送容器が全ての側面で閉鎖されて形成されておりかつ入口開口にフラップ状又はスライダ状の蓋を有することによって、達成されることができる。
【０００９】
受け渡し領域における案内機構と輸送容器との間の無段階の移行の確保のために、シュートの下流端が供給の間輸送容器の搬送方向の後方の相異なる壁に殆ど張り出していることが好適である。
製造物の受け渡し領域における案内機構の安定化の改良のために、この領域に渡って延びる側方の輸送チェイン案内が設けられている。
【００１０】
続いて、明細書中で詳しく述べられていない全ての詳細に関して参照される図面を参照して本発明の実施例を説明する。
【００１１】
【実施例】
図１は無端の回転する搬送チェイン２によって形成された牽引手段に固定された輸送容器３を有する搬送装置１を示す。輸送容器はその供給体４に面した上端に入口開口を備え、入口開口を通って偏平な製品が供給体４から輸送容器３中に供給され又は落下される。製品６では開封封筒、小包、印刷物又は工作物を対象とし、これらは収集個所から種々の離れた個所、貯蔵場所又は作業場所に分配され又は他の収集個所に輸送される。牽引手段に規則的に固定された輸送容器３は搬送装置１の搬送方向と反対方向に傾いた状態を有し、それぞれ犇めきあった機構にもかかわらず搬送方向Ｆにおける輸送容器の供給区間の位置は固定されることができる。到達する製品６が搬送装置１のタイミングでこれに付与する予め設定された供給体４は製品６の主面を把持する、輸送容器３への製品６の受け渡しのためのリニアコンベヤ７の偏平な摩擦結合において及びリニアコンベヤ７の搬送方向に対して垂直の軸線のまわりに駆動される搬送ロータ８から成り、搬送ロータは受け渡しの際にその周囲面の転動領域と摩擦結合して製品６の他の主面上を転動する。供給体４の駆動はモータ９によって行われる、モータは伝導装置１０によってリニアコンベヤ７として形成された搬送コンベヤと搬送ロータ８とに結合している。予圧装置１１は製品６（スイス特許明細書第２５０１／９５）への搬送ロータ８の正しい圧着を考慮している。
【００１２】
供給体４と搬送装置１例えば輸送容器３との間の案内のない搬送路の回避のために、本発明による装置は案内装置１２を有し、案内装置は製品６の搬送路を側方を区画する。この案内装置１２は輸送容器３の上方に搬送装置の搬送方向Ｆに対して同方向に回転駆動される牽引機構１３から成り、牽引機構は２つの平行な輸送チェイン１４から形成され、輸送チェインには搬送装置１の牽引手段に固定された輸送容器３の間隔で個々の案内機構１５が配設されている、案内機構は飛行軌道又は製品６の搬送路を通る。搬送チェイン２及び輸送チェイン１４はそれぞれ平行な走行部を有し、走行部は部分で受け渡し区間を形成する。輸送チェイン１４における輸送容器３と案内機構１５との間隔が等しい大きさであるので、これらは等しい速度又は共通の速度で移動する。
【００１３】
案内機構１５は漏斗状に形成されておりかつ製品６の飛行軌道に向けられ、即ち供給開口１６は搬送方向Ｆにおける輸送容器３の入口開口５を考慮して、広がり部を有し、広がり部は製品６の把持を容易にしかつこれに続く狭窄部によって製品６の飛行軌道を正確にする。
輸送容器３の入口開口５が、開放状態において案内部分を形成するフラップ状の蓋１７を備える、本発明の場合、案内機構１５は下流端にシュートとして形成されたガイド面１８を備える。部分的に分解される案内機構１５の漏斗形状は蓋開口に基づいてこの領域において蓋１７によって殆ど補完される。スライド蓋はこの安全措置によって取り囲まれることが可能である。ガイド面１８の状態は案内機構１５で、シュートの下流端が供給の間搬送方向Ｆの後方の輸送容器３の内壁に略張り出しており、いかなる場合でも障害となる突起が形成されず又は輸送容器３の入口開口５は不利に縮小されない。
【００１４】
図２〜図４は案内機構１５の構成及びその両輸送チェイン１４から形成された牽引機構１３への固定部に向けられる。図２は供給状態における漏斗状の案内機構１５を示す。それぞれ連結ロッド２０によって旋回軸線２１及びチェインリンク２３の他のピン２２に固定されており、その結果輸送チェイン１４はそのチェインリンクの運動性に関する制限を受ける。輸送チェイン１４との結合の強化のためにそれぞれ１つの、案内機構１５の側壁２４に固定されたガイド２５が設けられている。
【００１５】
図５〜図７は空の状態の輸送容器３の構成を示す。図５は更に供給位置に対してその位置の閉鎖された輸送容器３を１８０°変えられた状態を示す。製品６は今や蓋の近くにありかつ蓋１７が開くや否や輸送容器３を離れる（図６）。輸送容器３の閉鎖された状態において正しい時間に対するそのロック２７が図７によるロック解除装置２８によってロック状態を解かれる。輸送容器３の開放のための蓋１７の旋回はつるまきばね（図示しない）によって行われる。つるまきばねの力に抗して蓋１７は再び閉鎖される。
【図面の簡単な説明】
【図１】本発明による装置の側面図である。
【図２】案内機構の領域における案内装置の一部破断図した側面図である。
【図３】図２による装置の側面図である。
【図４】図２による装置の平面図である。
【図５】輸送状態における閉鎖された輸送容器の側面図である。
【図６】空の状態の開放された輸送容器の側面図である。
【図７】搬送方向における開放されたゆゆう容器の正面図である。
【符合の説明】
１    搬送装置
３    輸送容器
５    入口開口
６    製品
１２    案内装置
１３    牽引機構
１５    案内機構
【図１】
0003974960.tif 000002
【図２】
0003974960.tif 000003
【図３】
0003974960.tif 000004
【図４】
0003974960.tif 000005
【図５】
0003974960.tif 000006
【図６】
0003974960.tif 000007
【図７】
0003974960.tif 000008